【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ガスタービンの燃焼器のための流れスリーブ組立体であって、
（ａ）前記流れスリーブ組立体の前端に配置され、軸方向長さを有する環状フランジを含み、後方部から軸方向に離間した前方部を有する環状支持スリーブであって、前記環状フランジは、前記支持スリーブの前方部の周りを円周方向に延び、前記フランジは、前記燃焼器の作動中に前記燃料分配マニホルドの内側側部に沿って摺動するように、前記燃料分配マニホルド内で同軸に配置される、前記環状支持スリーブと、
（ｂ）前記流れスリーブ組立体の後端に配置される後方フレームと、
（ｃ）前記支持スリーブの後方部から前記後方フレームに向かって延び、後端から軸方向に離間した前端を有し、該前端が前記支持スリーブの後端を円周方向に取り囲む、環状流れスリーブと、
（ｄ）前記流れスリーブの後端と前記後方フレームとの間に延び、前記流れスリーブの後端に結合する前端と、前記後方フレームに結合される後端とを有する環状インピンジメントスリーブと、
を備える流れスリーブ組立体。
【請求項２】
前記支持スリーブは、少なくとも部分的に、前記支持スリーブを通じるアクセスを可能にするように前記支持スリーブを半径方向に貫通して延びる開口を定める、請求項１に記載の流れスリーブ組立体。
【請求項３】
前記支持スリーブから半径方向外向きに延び、前記支持スリーブの後方部の周りに円周方向に配置される、複数の締結特徴部をさらに備える、請求項１または２に記載の流れスリーブ組立体。
【請求項４】
前記流れスリーブは、第１の半環状流れスリーブセクションと、該第１の半環状流れスリーブセクションに結合する第２の半環状  流れスリーブセクションとから構成される、請求項１乃至３のいずれかに記載の流れスリーブ組立体。
【請求項５】
前記流れスリーブは、少なくとも部分的に、前記流れスリーブの前端に配置される複数のロックチャンネルを定める、請求項１乃至４のいずれかに記載の流れスリーブ組立体。
【請求項６】
前記インピンジメントスリーブは、第１の半環状インピンジメントスリーブセクションと、該第１の半環状インピンジメントスリーブセクションに結合する第２の半環状インピンジメントスリーブセクションとから構成される、請求項１乃至５のいずれかに記載の流れスリーブ組立体。
【請求項７】
前記支持スリーブ、前記流れスリーブ、及び前記インピンジメントスリーブによって少なくとも部分的に円周方向に取り囲まれる環状燃焼ライナと、前記後方フレームに結合する後端を有する燃焼ライナと、前記支持スリーブの前方部の近傍で終端する前端とをさらに備え、
前記燃焼ライナと前記インピンジメントスリーブの間で、流れスリーブ及び支持スリーブを規定する冷却流れ通路をさらに備える、請求項１乃至６のいずれかに記載の流れスリーブ組立体。
【請求項８】
燃焼器のための燃焼モジュールであって、
（ａ）後端から軸方向に離間した前端を有する環状燃料分配マニホルドと、
（ｂ）前記燃料分配マニホルドの下流に延び、前端と後端との間に延びる環状燃焼ライナと、前記燃焼ライナを円周方向に取り囲む環状流れスリーブ組立体とを有する燃料噴射組立体と、を備え、
前記流れスリーブ組立体は、
（ｉ）前記流れスリーブ組立体の前端に配置され、後方部から軸方向に離間した前方部を有する環状支持スリーブであって、前記支持スリーブは、軸方向長さを有するフランジを含み、該フランジは、前記支持スリーブの前方部の周りを円周方向に延び、該フランジは、前記燃焼モジュールの作動中に前記燃料分配マニホルドの内側側部に沿って摺動するように、前記燃料分配マニホルド内で同軸に配置される、前記環状支持スリーブと、
（ｉｉ）前記流れスリーブ組立体の後端に配置される後方フレームと、
（ｉｉｉ）前記支持スリーブの後方部から前記後方フレームに向かって延び、後端から軸方向に離間した前端を有する、環状流れスリーブと、
（ｉｖ）前記流れスリーブの後端と前記後方フレームとの間に延び、前記流れスリーブの後端に結合する前端と、前記後方フレームに結合される後端とを有する環状インピンジメントスリーブと、
を備える、燃焼モジュール。
【請求項９】
前記支持スリーブは、少なくとも部分的に、前記支持スリーブを通じるアクセスを可能にするように前記支持スリーブを半径方向に貫通して延びる開口を定め、
前記支持スリーブから半径方向外向きに延び、前記支持スリーブの後端の周りに円周方向に配置される、複数の締結特徴部をさらに備え、
前記流れスリーブは、第１の半環状流れスリーブセクションと、該第１の半環状流れスリーブセクションに結合する第２の半環状流れスリーブセクションとから構成され、
前記流れスリーブは、少なくとも部分的に、前記流れスリーブの前端に配置される複数のロックチャンネルを定め、
前記インピンジメントスリーブは、第１の半環状インピンジメントスリーブセクションと、該第１の半環状インピンジメントスリーブセクションに結合する第２の半環状インピンジメントスリーブセクションとから構成される、請求項８に記載の燃焼モジュール。
【請求項１０】
ガスタービンであって、
（ａ）前記ガスタービンの上流端に配置される圧縮機と、該圧縮機の下流に配置される燃焼器と、該燃焼器の下流に配置されるタービンと、
（ｂ）少なくとも部分的に前記燃焼器を通って延びる燃焼モジュールと、
を備え、
前記燃焼モジュールは、後端から軸方向に離間する前端を有する環状燃料分配マニホルドと、前記燃料分配マニホルドの下流に延びる燃料噴射組立体とを含み、該燃料噴射組立体は、前端と後端との間を延びる環状燃焼ライナと、前記燃焼ライナを円周方向に取り囲む環状流れスリーブ組立体とを含み、該流れスリーブ組立体は、
（ｉ）前記流れスリーブ組立体の前端に配置され、後方部から軸方向に離間した前方部を有する環状支持スリーブであって、前記支持スリーブは、軸方向長さを有するフランジを含み、該フランジは、前記支持スリーブの前方部の周りを円周方向に延び、該フランジは、前記燃焼モジュールの作動中に前記燃料分配マニホルドの内側側部に沿って摺動するように、前記燃料分配マニホルド内で同軸に配置される、前記環状支持スリーブと、
（ｉｉ）前記流れスリーブ組立体の後端に配置される後方フレームと、
（ｉｉｉ）前記支持スリーブの後方部から前記後方フレームに向かって延び、後端から軸方向に離間した前端を有する、環状流れスリーブと、（ｉｖ）前記流れスリーブの後端と前記後方フレームとの間に延び、前記流れスリーブの後端に結合する前端と、前記後方フレームに結合される後端とを有する環状インピンジメントスリーブと、
を備える、ガスタービン。
【請求項１１】
前記支持スリーブから半径方向外向きに延び、前記支持スリーブの後方部の周りに円周方向に配置され、
前記流れスリーブは、少なくとも部分的に、前記流れスリーブの前端に配置される複数のロックチャンネルを定め、
前記流れスリーブは、第１の半環状流れスリーブセクションと、該第１の半環状流れスリーブセクションに結合する第２の半環状流れスリーブセクションとから構成され、前記インピンジメントスリーブは、第１の半環状インピンジメントスリーブセクションと、該第１の半環状インピンジメントスリーブセクションに結合する第２の半環状インピンジメントスリーブセクションとから構成される、請求項１０に記載のガスタービン。